(57)【要約】【課題】  シグネチャ多重時において、シグネチャ毎の最適な重み係数を求めて電力制御を行うことにより、無駄な電力リソースの消費を削減し、更には、通信品質及びシステムスループットの向上を実現可能な電力制御方式を提供する。【解決手段】  Ｅ−ＨＩＣＨ，Ｅ−ＲＧＣＨ等のシグネチャ多重送信を行う下り物理チャネルにおいて、Ｅ−ＨＩＣＨ受信結果、ＣＰＩＣＨ測定結果、下り物理制御チャネルＤＰＣＣＨの送信電力等を使用して、シグネチャ（移動局）毎に最適な重みを求めることにより、シグネチャ多重送信における効率の良い電力制御を得ることが可能となる。その結果、Ｅ−ＨＩＣＨとＥ−ＲＧＣＨ等のシグネチャ多重送信を行うチャネルの下り電力リソースの浪費が抑えられ、システムスループットが向上する。【選択図】      図３
2008005073.tif 000002
【特許請求の範囲】
【請求項１】
移動通信システムにおいて、複数の移動局の各々に固有の識別情報を多重化した通信制御に用いるための下り物理チャネルにおける送信電力制御システムであって、基地局において、前記移動局毎に、前記識別情報の多重時における重み係数を適応的に制御する手段を含むことを特徴とする送信電力制御システム。
【請求項２】
前記手段は、前記移動局の各々の共通パイロットチャネルの受信結果、前記移動局の各々に対応する下り物理制御チャネルの送信電力、前記移動局の各々との距離情報、前記移動局の各々の下り無線リンク品質情報の少なくとも一つに応じて前記重み係数の基準値を求めることを特徴とする請求項１記載の送信電力制御システム。
【請求項３】
前記手段は、前記移動局の各々の前記下り物理チャネルの受信判定情報、前記移動局の各々の前記下り物理チャネルの逆拡散時の相関結果の少なくとも一つに応じて前記重み係数の基準値に対するオフセットを求めることを特徴とする請求項２記載の送信電力制御システム。
【請求項４】
前記下り物理チャネルは、ＥＵＤＣＨ（Enhanced Uplink DCH(Dedicated Channel)）方式におけるＥ−ＨＩＣＨ（Enhanced-DCH HARQ(Hybrid Automatic ReQuest）Indicator Channel)及びＥ−ＲＧＣＨ（Enhanced-DCH Relative Grant Channel)であることを特徴とする請求項１〜３いずれか記載の送信電力制御システム。
【請求項５】
移動通信システムにおいて、複数の移動局の各々に固有の識別情報を多重化した通信制御に用いるための下り物理チャネルにおける送信電力制御方法であって、基地局において、前記移動局毎に、前記識別情報の多重時における重み係数を適応的に制御するステップを含むことを特徴とする送信電力制御方法。
【請求項６】
前記ステップは、前記移動局の各々の共通パイロットチャネルの受信結果、前記移動局の各々に対応する下り物理制御チャネルの送信電力、前記移動局の各々との距離情報、前記移動局の各々のチャネル品質情報の少なくとも一つに応じて前記重み係数の基準値を求めることを特徴とする請求項５記載の送信電力制御方法。
【請求項７】
前記ステップは、前記移動局の各々の前記下り物理チャネルの受信判定情報、前記移動局の各々の前記下り物理チャネルの逆拡散時の相関結果の少なくとも一つに応じて前記重み係数の基準値に対するオフセットを求めることを特徴とする請求項６記載の送信電力制御方法。
【請求項８】
前記下り物理チャネルは、ＥＵＤＣＨ（Enhanced Uplink DCH(Dedicated Channel)）方式におけるＥ−ＨＩＣＨ（Enhanced-DCH HARQ Indicator Channel)及びＥ−ＲＧＣＨ（Enhanced-DCH Relative Grant Channel)であることを特徴とする請求項５〜７いずれか記載の送信電力制御方法。
【請求項９】
移動通信システムにおいて、複数の移動局の各々に固有の識別情報を多重化した通信制御に用いるための下り物理チャネルを送信するようにした基地局であって、前記移動局毎に、前記識別情報の多重時における重み係数を適応的に制御する手段を含むことを特徴とする基地局。
【請求項１０】
前記手段は、前記移動局の各々の共通パイロットチャネルの受信結果、前記移動局の各々に対応する下り物理制御チャネルの送信電力、前記移動局の各々との距離情報、前記移動局の各々の下り無線リンク品質情報の少なくとも一つに応じて前記重み係数の基準値を求めることを特徴とする請求項９記載の基地局。
【請求項１１】
前記手段は、前記移動局の各々の前記下り物理チャネルの受信判定情報、前記移動局の各々の前記下り物理チャネルの逆拡散時の相関結果の少なくとも一つに応じて前記重み係数の基準値に対するオフセットを求めることを特徴とする請求項１０記載の基地局。
【請求項１２】
前記下り物理チャネルは、ＥＵＤＣＨ（Enhanced Uplink DCH(Dedicated Channel)）方式におけるＥ−ＨＩＣＨ（Enhanced-DCH HARQ(Hybrid Automatic ReQuest）Indicator Channel)及びＥ−ＲＧＣＨ（Enhanced-DCH Relative Grant Channel)であることを特徴とする請求項９〜１１いずれか記載の基地局。
【請求項１３】
移動通信システムにおいて複数の移動局の各々に固有の識別情報を多重化した通信制御に用いるための下り物理チャネルを送信するようにしたにおける基地局の動作をコンピュータに実行させるためのプログラムであって、前記移動局毎に、前記識別情報の多重時における重み係数を適応的に制御する処理を含むことを特徴とするプログラム。
【発明の詳細な説明】
【技術分野】
【０００１】
本発明は送信電力制御システム及びその方法並びにそれに用いる基地局に関し、特にＷ−ＣＤＭＡ移動体通信におけるＥＵＤＣＨ（Enhanced Uplink Dedicated Channel ）と呼ばれる上り回線高速パケット伝送方式において用いられるＥ−ＨＩＣＨ（E-DCH HARQ Indicator Channel) 及びＥ−ＲＧＣＨ（E-DCH Relative Grant Channel) などのシグネチャ多重送信を行う下り物理チャネルの送信電力制御方式に関するものである。
【背景技術】
【０００２】
現在３ＧＰＰ（3rd Generation Partnership Project) 上でＥＵＤＣＨ方式と呼ばれる上り回線高速パケット伝送方式の仕様化が進んでいる。これまでは上り回線の最大レート制御はＲＮＣ（Radio Network Controller：無線基地局の上位局）が行っていたが、ＥＵＤＣＨでは、無線基地局によってこれを制御することにより、上り干渉量の変動に応じた高速な上りレート制御が可能となる。より高速な制御が可能となることで、ノイズライズ（受信対雑音電力）マージンをより小さく設定できるため、上り回線容量の増加が望める。
【０００３】
更に、ＥＵＤＣＨ方式では、無線基地局と移動局の間でＨＡＲＱ（Hybrid Automatic Repeat reQuest ）技術が導入されている。これにより、ＲＮＣ内のＲＬＣ（Radio Link Control）での再送に比べて、再送遅延が抑えられ、また、物理レイヤでの誤り率を高め（１０〜２０％）に設定することが可能となる。結果として、システムスループットの増大、送信遅延の低減といった効果が得られる。また、ＥＵＤＣＨ方式では、Ｗ−ＣＤＭＡの上り回線の特徴の１つである“移動局は複数の無線基地局と無線リンクを張ることができる”ことから、上位局であるＲＮＣにおいて上りデータの選択合成を行うことにより、選択ダイバーシティ効果が得られる。
【０００４】
ＥＵＤＣＨ方式で使用される下り物理チャネルとして、Ｅ−ＨＩＣＨ（E-DCH HARQ Indicator Channel) 及びＥ−ＲＧＣＨ（E-DCH Relative Grant Channel) がある。Ｅ−ＨＩＣＨ，Ｅ−ＲＧＣＨの伝送には、Ｗ−ＣＤＭＡ移動体通信で従来から存在する物理チャネルＡＩＣＨ（Acquisition Indicator Channel ）と同様に「シグネチャ（signature ）」と呼ばれる複数の直交した所定ビット長の端末固有識別子が使用される。そして、ＡＩＣＨと同様に、シグネチャを多重する（各シンボルに対して合成を行う）ことにより、同一通知スロットで複数の移動局に対して、情報を通知出来る。以下、ＡＩＣＨのシグネチャ多重について説明する。
【０００５】
図１０にＡＩＣＨで使用されるシグネチャの例を示す。ＡＩＣＨは、シグネチャを使用することにより、ＡＩ（Acquisition Indicatoｒ）を伝送する。ＡＩの値としては、＋１，−１，０がある。更に、ＡＩＣＨでは、シグネチャを多重する（各シンボルに対して合成を行う）ことにより、同一通知スロットで複数の移動局に対して、ＡＩを通知出来る。各シンボル合成後の実数シンボルａ0 ，ａ1 ，‥‥，ａ31は、（１）式で与えられる。
ａj ＝ΣＡＩs ・ｂsj  ……（１）
なお、（１）式でΣはｓ＝０〜１５の総和を示す。また、ＡＩs はシグニチャｓに対応するインジケータであり、値＋１，−１、または０をとる。また、ｂs0，…，ｂs31 は図１０で与えられる。
【０００６】
例えば、移動局Ａに割当てられているシグネチャの先頭から３シンボル目までを「１、１、−１」とし、移動局Ｂに割当てられているシグネチャの同一部分を「１、−１、−１」とする。移動局Ａ，Ｂのインジケータを「＋１」、他の局のＡＩs を「０」として送信すると、「１＋１、１−１、−１−１」＝「２、０、−２」が通知スロットに設定され、合成された実数シンボルに応じた電力で送信される。
【０００７】
また、無線基地局は、ＱＰＳＫ方式に従って、位相平面上の所定の信号点を利用して移動局へ情報を伝送する。無線基地局から移動局へ伝送される無線信号を図１１に示す。無線基地局からＡＩＣＨを介して移動局へ情報を伝送するために、信号点（点Ａ、点Ｂ、点Ｃ、点Ｄ、原点等々）が利用される。具体的には、例えば、「１」を伝送する場合には信号点Ａが使用され、「−１」を伝送する場合には信号点Ｂが使用される。従って、無線基地局から移動局へ「シグネチャ（または、逆符号のシグネチャ）」を送信するときは、これらの信号点Ａ，Ｂが利用される。
【０００８】
すなわち、例えば、伝送すべき「シグネチャ」の先頭ビットが「１」であり、２ビット目が「−１」であったとすると、先ず信号点Ａに対応する変調信号が１シンボル時間だけ送信され、続いて、信号点Ｂに対応する変調信号が１シンボル時間だけ送信される。なお、「無信号状態」は位相平面上の原点に相当する。信号点ＡのＩ成分およびＱ成分は、互いに同じである。すなわち、Ｉa ＝Ｑa である。従って、ある実数シンボルが信号点Ａに配置されると、その実数シンボルを伝送する信号の位相ψは、「４５度」になり、また、その信号の送信電力は、原点から信号点Ａまでの距離の二乗に比例する。
【０００９】
同様に、信号点ＢのＩ成分およびＱ成分も、互いに同じである。すなわち、Ｉb ＝Ｑb である。そして、信号点Ａおよび信号点Ｂは、原点を基準点として対称位置に配置されている。すなわち、「Ｉb ＝−Ｉa 」および「Ｑb ＝−Ｑa 」である。
【００１０】
従って、ある実数シンボルが信号点Ｂに配置されると、その実数シンボルを伝送する信号の位相ψは、「４５＋１８０度」になり、また、その信号の送信電力は、原点から信号点Ｂまでの距離の二乗に比例する。更に、送信電力は実数シンボルの値に比例した値となる。つまり、シグネチャの多重により実数シンボルの値が「＋２」である場合、信号点Ｃに対応する変調信号が１シンボルだけ送信され、実数シンボルの値が「−２」である場合、信号点Ｄに対応する変調信号が１シンボルだけ送信される。
【００１１】
移動局は、復調したＡＩＣＨの通知スロットに格納されているコードに「シグネチャ」を乗算及びその乗算結果を積分する。そして、その積分結果に基づいてインジケータを判定することになる。
【００１２】
なお、シグネチャに関しては、特許文献１，２に開示されている。
【特許文献１】特表２００５−５０９３２７号公報
【特許文献１】特開２００４−３１２７７１号公報
【発明の開示】
【発明が解決しようとする課題】
【００１３】
ＥＵＤＣＨ方式で使用される下り物理チャネルＥ−ＨＩＣＨとＥ−ＲＧＣＨ等は、無線基地局から各移動局へ送信され、「Acquisition 情報」、「相対的に表した最大送信レート情報」を高い精度で伝送する必要がある。そのためは、各移動局が受信するのに十分な電力レベルで送信する必要がある。しかし、逆に無駄に電力レベルが高すぎると、下り電力リソースを浪費してしまい、結果的にシステムスループットが落ちてしまうという問題がある。更に、ＡＩＣＨと同様に、全シグネチャを同じ重みで多重する方式では、Ｅ−ＨＩＣＨとＥ−ＲＧＣＨとを最適な電力レベルで送信する事が出来ず、やはり電力リソースの浪費やシステムスループットの低下を招いてしてしまう。
【００１４】
本発明の目的は、シグネチャの多重時におけるシグネチャ毎の最適な重み係数を求めて電力制御を行うことにより、無駄な電力リソースの消費を削減し、更には、通信品質及びシステムスループットの向上を実現可能な電力制御システム及びその方法並びにそれに用いる基地局を提供することである。
【課題を解決するための手段】
【００１５】
本発明による送信電力制御システムは、移動通信システムにおいて複数の移動局の各々に固有の識別情報を多重化した通信制御に用いるための下り物理チャネルにおける送信電力制御システムであって、基地局において、前記移動局毎に、前記識別情報の多重時における重み係数を適応的に制御する手段を含むことを特徴とする。
【００１６】
本発明による送信電力制御方法は、移動通信システムにおいて複数の移動局の各々に固有の識別情報を多重化した通信制御に用いるための下り物理チャネルにおける送信電力制御方法であって、基地局において、前記移動局毎に、前記識別情報の多重時における重み係数を適応的に制御する方法を含むことを特徴とする。
【００１７】
本発明による基地局は、移動通信システムにおいて、複数の移動局の各々に固有の識別情報を多重化した通信制御に用いるための下り物理チャネルを送信するようにした基地局であって、前記移動局毎に、前記識別情報の多重時における重み係数を適応的に制御する手段を含むことを特徴とする
【００１８】
本発明によるプログラムは、移動通信システムにおいて複数の移動局の各々に固有の識別情報を多重化した通信制御に用いるための下り物理チャネルを送信するようにした基地局の動作をコンピュータに実行させるためのプログラムであって、前記移動局毎に、前記識別情報の多重時における重み係数を適応的に制御する処理を含むことを特徴とする。
【発明の効果】
【００１９】
本発明によれば、「Ｅ−ＨＩＣＨ受信結果」、「ＣＰＩＣＨ測定結果」及び「下り物理制御チャネルＤＰＣＣＨの送信電力」等々を使用して、シグネチャ（移動局）毎に、適応的に最適な重み係数を求めることにより、シグネチャ多重送信における効率の良い電力制御を得ることが可能となる。その結果、Ｅ−ＨＩＣＨとＥ−ＲＧＣＨ等のシグネチャ多重送信を行うチャネルの下り電力リソースの浪費が抑えられ、システムスループットが向上するという効果がある。
【発明を実施するための最良の形態】
【００２０】
以下に、図面を参照しつつ本発明の実施例について詳述する。図１は本発明の実施例が適用される概略システム図である。Ｓｅｒｖｉｎｇ  Ｅ−ＤＣＨ  Ｃｅｌｌである無線基地局と移動局との間には、図１に示される物理チャネルが使用される（但し、ＣＰＩＣＨ，Ｐ−ＣＣＰＣＨ，Ｓ−ＣＣＰＣＨ等の共通チャネルに関しては記載していない）。個別物理チャネルは、Ｗ−ＣＤＭＡシステムにおいて従来から使用されている物理チャネルである。
【００２１】
ＥＵＤＣＨ方式を実現するための上り物理チャネルとしては、ユーザーデータを伝送するための物理チャネルであるＥ−ＤＰＤＣＨ（E-DCH Dedicated Physical Data Channel)、無線基地局がスケジューリングを行う上で必要とされる情報、及びＥ−ＤＰＤＣＨを復号するために必要とされる情報を通知する制御チャネルであるＥ−ＤＰＣＣＨ（E-DCH Dedicated Physical Control Channel）がある。
【００２２】
下り物理チャネルとしては、無線基地局が、移動局に許される最大送信レート・電力の情報、及び移動局に許される送信タイミングに関する情報を通知するための制御チャネルであるＥ−ＡＧＣＨ（E-DCH Absolute Grant Channel) 、Ｅ−ＤＰＤＣＨのＨＡＲＱ制御を行う際に用いられるＨＡＲＱ  Ａｃｑｕｉｓｉｔｉｏｎ情報であるＥ−ＨＩＣＨ（E-DCH HARQ Indicator Channel) 、移動局に許される最大送信レートの”上げろ”、”下げろ”を相対的に指示するためのＥ−ＲＧＣＨ（E-DCH Relative Grant Channel) がある。
【００２３】
Ｗ−ＣＤＭＡ方式ＥＵＤＣＨ通信システムの構成例を図２に示す。図２において、移動局１は、無線基地局２及び無線基地局３とＳＨＯ（Soft Hand Over）状態にある。移動局１と無線基地局２との無線リンク（ＲＬ：Radio Link) をＲＬ＃１、移動局１と無線基地局３との無線リンクをＲＬ＃２と呼ぶ。また、無線基地局２，３は上位局（ＲＮＣ：Radio Network Controller）４とＩｕｂと呼ばれるインタフェースにてつながっている。Ｅ−ＤＰＤＣＨによって運ばれるユーザーデータは、制御チャネルであるＥ−ＤＰＣＣＨを伴って無線基地局２，３に送信される。
【００２４】
Ｅ−ＤＰＤＣＨに伴って送信されるＥ−ＤＰＣＣＨ内には、Ｅ−ＤＰＤＣＨの送信レート情報であるＥ−ＴＦＣＩ（Enhanced Transport Format Combination Indicator)が含まれている。無線基地局２，３では、先ずＥ−ＤＰＣＣＨ内のＥ−ＴＦＣＩの復号を行い、復号結果から得られるＥ−ＴＦより、Ｅ−ＤＰＤＣＨのＳＦ(Spreading Factor)、データサイズ、マルチコード数等のＥ−ＤＰＤＣＨの復号に必要とされる情報を得ることで、Ｅ−ＤＰＤＣＨの復号が可能となる。復号ＯＫのユーザーデータに関しては、Ｉｕｂ経由でＲＮＣへ送信され、ＲＮＣによって選択合成及び順序制御が行われる。従って、少なくとも１つの無線基地局にて復号結果がＯＫとなればよいため、選択ダイバーシティ効果が得られる。
【００２５】
また、図２において、無線基地局２は移動局に対するＳｅｒｖｉｎｇ  Ｅ−ＤＣＨ  Ｃｅｌｌとして機能している。Ｓｅｒｖｉｎｇ  Ｅ−ＤＣＨ  Ｃｅｌｌのみが、移動局に対してＥ−ＡＧＣＨを送信し、移動局の最大送信レート・電力の情報等の制御を行う。つまり、Ｎｏｎ  Ｓｅｒｖｉｎｇ  Ｅ−ＤＣＨ  Ｃｅｌｌは、移動局に対してＥ−ＡＧＣＨを送信しない。Ｅ−ＨＩＣＨ，Ｅ−ＲＧＣＨについては、その移動局に対する全てのＥ−ＤＣＨ  Ｃｅｌｌが移動局に対して送信する。
【００２６】
図３は、本発明におけるＥ−ＨＩＣＨ及びＥ−ＲＧＣＨの電力制御機能を適用したＷ−ＣＤＭＡ方式移動通信システムの無線基地局の実施例の概要構成を示したものである。ここでは、Ｅ−ＨＩＣＨ及びＥ−ＲＧＣＨの電力制御にかかわる部分のみを示している。図３において、無線部５は、アンテナ６を介して上りの送信データ（Ｅ−ＤＰＣＣＨ，Ｅ−ＤＰＤＣＨ）を無線周波数信号で受信する。復調部７は、無線部５で受信した無線周波数信号を復調し、復調後のデータを復号部８に入力する。
【００２７】
復号部８は、受信データのＣＲＣ判定を行い、結果をＥＵＤＣＨ  Ｓｃｈｅｄｕｌｅｒ（スケジューラ）部１１及びＥ−ＨＩＣＨ生成部１２に出力すると共に、移動局からのフィードバック情報であるＥ−ＨＩＣＨ受信結果、ＣＰＩＣＨ測定結果をシグネチャ係数演算部１０及びＥ−ＨＩＣＨ生成部１２に出力する。ＤＰＣＣＨ送信電力制御部９は、シグネチャ係数演算部１０に、現在の各移動局への下りＤＰＣＣＨ送信電力を出力する。シグネチャ係数演算部１０は、入力されたこれらパラメータを基に、各シグネチャに対するシグネチャ係数の演算を行い、その結果をＥ−ＨＩＣＨ生成部１２、Ｅ−ＲＧＣＨ生成部１３に出力する。
【００２８】
ＥＵＤＣＨ  Ｓｃｈｅｄｕｌｅｒ部１１は、各移動局の最大送信レートを求め、相対的に上げ下げの判定を行い、その結果をＥ−ＲＧＣＨ生成部１３に出力する。Ｅ−ＨＩＣＨ生成部１２は、シグネチャ係数及び受信データのＣＲＣ判定結果から、シグネチャの合成等を行うことにより、Ｅ−ＨＩＣＨ送信信号を生成し、この信号を変調部１４に出力する。Ｅ−ＲＧＣＨ生成部１３は、シグネチャ係数及びＥ−ＲＧＣＨ情報から、シグネチャの合成等を行うことにより、Ｅ−ＲＧＣＨ送信信号を生成し、この信号を変調部１４に出力する。変調部１４は、入力された送信信号を拡散変調すると共に、移動局識別符号を掛けて拡散した後、無線部５に入力する。無線部５は拡散変調後の信号を無線周波数信号に変換し、アンテナ６を介して送信する。
【００２９】
かかる構成において、無線部５は、アンテナ６を介して上りの送信データ（Ｅ−ＤＰＣＣＨ，Ｅ−ＤＰＤＣＨ）を無線周波数信号で受信する。復調部７は、無線部５で受信した無線周波数信号を復調し、復調後のデータを復号部８に入力する。復号部８は、受信データのＣＲＣ判定を行い、結果をＥＵＤＣＨ  Ｓｃｈｅｄｕｌｅｒ部１１及びＥ−ＨＩＣＨ生成部１２に出力するとともに、移動局からのフィードバック情報であるＥ−ＨＩＣＨ受信結果、ＣＰＩＣＨ測定結果をシグネチャ係数演算部１０及びＥ−ＨＩＣＨ生成部１２に出力する。
【００３０】
ＤＰＣＣＨ送信電力制御部９は、シグネチャ係数演算部１０に、現在のＤＰＣＣＨ送信電力を出力する。シグネチャ係数演算部１０は、入力されたパラメータをもとに、各シグネチャに対するシグネチャ係数αs の演算を行う。すなわち、図４の動作フローに示すように、移動局から上りの送信データ（Ｅ−ＤＰＣＣＨ，Ｅ−ＤＰＤＣＨ）を受信し、シグネチャ係数αs の更新を開始すると、先ず、シグネチャに対応する移動局のＤＰＣＣＨ送信電力及びＣＰＩＣＨ測定結果等からシグネチャ係数基準を求める（ステップＳ１）。なお、このシグネチャ係数基準は、予めシミュレーションや実測により作成しておいたテーブルを参照することにより求められる。
【００３１】
Ｅ−ＨＩＣＨ生成部１２は、シグネチャ係数及び受信データのＣＲＣ判定結果から、シグネチャの合成等を行うことにより、Ｅ−ＨＩＣＨ送信信号を生成し、この信号を変調部１４に出力する。Ｅ−ＲＧＣＨ生成部１３は、シグネチャ係数及びＥ−ＲＧＣＨ情報から、シグネチャの合成等を行うことにより、Ｅ−ＲＧＣＨ送信信号を生成し、この信号を変調部１４に出力する。図５〜７にＥ−ＨＩＣＨ，Ｅ−ＲＧＣＨで使用されるシグネチャの例を示す。
【００３２】
各移動局に割当てられているシグネチャについては、予め移動局に通知される。Ｅ−ＨＩＣＨでは、無線基地局が移動局からのＥ−ＤＰＤＣＨを受信した結果、ＣＲＣ  ＯＫと判断した場合、インジケータを「＋１」とし、Ｅ−ＨＩＣＨの通知スロットには、その移動局に割当てられているシグネチャが設定される。逆に無線基地局がＣＲＣ  ＮＧと判断した場合には、インジケータを「−１」とし、その移動局に割当てられているシグネチャに対応した「逆符号のシグネチャ」が設定される。
【００３３】
その後、移動局からのフィードバック情報であるＥ−ＨＩＣＨ受信結果がＤＴＸ（Discontinuous Transmissin ）であった場合（ステップＳ２）、シグネチャ係数オフセットを上げる（ステップＳ３）。また、Ｅ−ＨＩＣＨ受信結果がＤＴＸ以外（ＡＣＫ，ＮＡＣＫ）であった場合（ステップＳ２）、シグネチャ係数オフセットを下げる（ステップＳ４）。
【００３４】
ここに、シグネチャ係数オフセットとは、ステップＳ１で求めたシグネチャ係数基準に対して与えるオフセットであり、Ｅ−ＨＩＣＨ受信結果がＤＴＸであれば、移動局は、前回基地局が送信したＥ−ＨＩＣＨを受信できなかったことになるので、基地局はシグネチャ係数オフセットの値を上げることにより、移動局によるＥ−ＨＩＣＨの受信を可能とするのである。逆に、ＤＴＸ以外であれば、移動局はＥ−ＨＩＣＨを受信できていると判断し、基地局はシグネチャ係数オフセットの値を下げて、無駄な電力を削減するようにしているのである。
【００３５】
最後に、シグネチャ係数基準及びシグネチャ係数オフセットからシグネチャ係数αs を求める（ステップＳ５）。すなわち、シグネチャ係数基準に対してシグネチャ係数オフセットを加算してシグネチャ係数αs を求めることになる。シグネチャ係数演算部１０は、この図４に示した演算を、送信する全シグネチャ分行い、Ｅ−ＨＩＣＨ生成部１２及びＥ−ＲＧＣＨ生成部１３に出力する。
【００３６】
Ｅ−ＨＩＣＨ生成部１２は、シグネチャ係数及び受信データのＣＲＣ判定結果から、シグネチャの合成等を行うことにより、Ｅ−ＨＩＣＨ送信信号を生成し、この信号を変調部１４に出力する。Ｅ−ＲＧＣＨ生成部１３は、シグネチャ係数及びＥ−ＲＧＣＨ情報から、シグネチャの合成等を行うことにより、Ｅ−ＲＧＣＨ送信信号を生成し、この信号を変調部１４に出力する。図５〜図７にＥ−ＨＩＣＨ，Ｅ−ＲＧＣＨで使用されるシグネチャの例を示す。
【００３７】
各移動局に割当てられているシグネチャについては、予め移動局に通知される。Ｅ−ＨＩＣＨでは、無線基地局が移動局からのＥ−ＤＰＤＣＨを受信した結果、ＣＲＣ  ＯＫと判断した場合、インジケータを「＋１」とし、Ｅ−ＨＩＣＨの通知スロットにはその移動局に割当てられているシグネチャが設定される。逆に無線基地局がＣＲＣ  ＮＧと判断した場合には、インジケータを「−１」とし、その移動局に割当てられているシグネチャに対応した「逆符号のシグネチャ」が設定される。
【００３８】
ここで、「逆符号のシグネチャ」とは、「シグネチャ」を構成する各シンボルの符号がそれぞれ反転させられたコードを意味する。Ｅ−ＲＧＣＨでは、相対的に移動局の最大送信レートの上げても良い場合、インジケータを「＋１」とし、Ｅ−ＲＧＣＨの通知スロットにはその移動局に割当てられているシグネチャが設定される。相対的に移動局の最大送信レートを下げる必要がある場合、インジケータを「−１」とし、その移動局に割当てられているシグネチャに対応した「逆符号のシグネチャ」が設定される。また、現状の最大送信レートを維持する場合、設定されない。
【００３９】
更に、ＡＩＣＨと同様、Ｅ−ＨＩＣＨ，Ｅ−ＲＧＣＨ共に、シグネチャを多重する（各シンボルに対して合成を行う）ことにより、同一通知スロットで複数の移動局に対して、情報を通知出来る。本発明では、シグネチャ毎に係数αs を設け、シグネチャに対応する移動局との通信状態に応じて、シグネチャ係数αs を調節することにより、Ｅ−ＨＩＣＨ，Ｅ−ＲＧＣＨの最適な電力制御を行う。
【００４０】
ここで、Ｅ−ＨＩＣＨ及びＥ−ＲＧＣＨの実数シンボルａ0 ，ａ1 ，‥‥，ａ39は、（２）式で与えられる。
ａj ＝Σαs ・Ｉs ・ｂsj  ……（２）
ここに、Σはｓ＝０〜３９の総和であり、Ｉs はシグニチャｓに対応するインジケータであり、値＋１、−１、または０をとる。また、ｂｓ０，…，ｂs39 は図５〜図７で与えられるものである。
【００４１】
例えば、移動局Ａに図５〜図７のシグネチャ０が割当てられ、移動局Ｂに図５〜図７のシグネチャ１が割当てられているとする。シグネチャ係数をα0 ＝α1 ＝１とした時、Ｅ−ＨＩＣＨの実数シンボルａ0 ，ａ1 ，‥‥，ａ39及び各実数シンボルを２乗した値（各実数シンボルでの送信電力は、実数シンボルの二乗に比例する）の累計は、以下になる。
【００４２】
実数シンボル（ａ0 ，ａ1 ，‥‥，ａ39）＝（−２，０，０，０，−２，２，０，０，０，０，０，−２，２，０，０，０，−２，０，２，０，０，−２，−２，−２，−２，０，−２，０，−２，０，−２，−２，０，２，２，０，２，０，−２，−２）
各実数シンボルを２乗した値の累計＝（２）２×６＋（−２）２×１４＝８０
【００４３】
ここで、移動局ＢのＤＰＣＣＨ送信電力は、移動局ＡのＤＰＣＣＨ送信電力と比較して３ｄＢ低いとし、両移動局のＤＰＣＣＨから算出されるＳＩＲ（希望波対干渉波電力比）は同程度の値であると考えると、それぞれの移動局において受信したＥ−ＨＩＣＨを復調、シグネチャの乗算及びその乗算結果を積分した値の分布図は、図８のようになる。
【００４４】
図８においては、各移動局Ａ，ＢがＥ−ＨＩＣＨを復調し、ΣＪs ・ｂsjの演算を行った複数の演算結果の分散図であり、Ｊs はあるシンボルの復調結果（Ｅ−ＨＩＣＨ）、ｂsjは図５〜図７で与えられる。つまり、図８の横軸はＥ−ＨＩＣＨを復調してΣＪs ・ｂsjの演算を行った結果であり、縦軸は回数を示すものである。また、Ｓ（＋），Ｓ（−）はプラス側、マイナス側の演算結果の平均である。
【００４５】
その後、シグネチャ係数演算部１０が、本発明で示すフィードバックパラメータなどから、移動局Ｂに対して過剰に電力を使用していると判断すると、シグネチャ係数を下げる。ここでは、移動局ＢのＤＰＣＣＨ送信電力が、移動局ＡのＤＰＣＣＨ送信電力と比較して３ｄＢ低いことから、シグネチャ係数演算部１０がα0 ＝１、α1 ＝０．５を出力したとすると、Ｅ−ＨＩＣＨの実数シンボルａ0 ，ａ1 ，‥‥，ａ39及び各実数シンボルを２乗した値の累計は、以下になる。
【００４６】
実数シンボル（ａ0 ，ａ1 ，‥‥，ａ39）＝（０．５，０．５，−０．５，−１．５，１．５，−０．５，０．５，０．５，−１．５，０．５，１．５，−０．５，−０．５，−１．５，−１．５，−１．５，−１．５，−０．５，−１．５，０．５，−１．５，０．５，−１．５，−１．５，０．５，１．５，１．５，０．５，１．５，−０．５，−１．５，−１．５）
各実数シンボルを２乗した値の累計＝（１．５）２×６＋（−１．５）２×１４＋（０．５）２×１０＋（−０．５）２×１０＝５０
【００４７】
α1 を１から０．５に変更したことにより、それぞれの移動局において受信したＥ−ＨＩＣＨを復調、シグネチャの乗算及びその乗算結果を積分した値の分布図は、図９のようになる。以上に示したように、Ｅ−ＨＩＣＨの通信品質が高すぎる移動局に対するシグネチャ係数を下げることにより、Ｅ−ＨＩＣＨの送信電力リソースを抑えられ、かつＥ−ＨＩＣＨの通信品質も保てる。
【００４８】
実数シンボルは、通知スロットに設定され、変調部１４に出力される。変調部１４は、入力された送信信号を拡散変調すると共に、移動局識別符号を掛けて拡散した後、無線部５に入力する。無線部５は拡散変調後の信号を無線周波数信号に変換し、アンテナ６を介して送信する。
【００４９】
上記実施例においては、図３のシグネチャ係数演算部１０における係数基準を求める（図４のステップＳ１）際に、各移動局毎に対するＤＰＣＣＨ送信電力に応じて求めているが、他のパラメータとして、基地局と移動局の各々との距離情報（ＲＴＴ：Round Trip Time ）や、移動局の各々のＣＰＩＣＨの受信レベルから求めた下り無線リンク品質情報（ＣＱＩ：Channel Quality Idicator）などの少なくとも一つに応じて係数の基準値を求めることができる。
【００５０】
また、係数基準に対するオフセットを求める（ステップＳ３，Ｓ４）際に、各移動局からのＥ−ＨＩＣＨ受信結果の判定情報、すなわち、ＡＣＫ（Acknowledge ）／ＮＡＣＫ（Non-ACK ）、ＤＴＸ判定情報（積分値）に応じて求めているが、移動局の各々の下り物理チャネルＥ−ＨＩＣＨの逆拡散時の相関結果や、移動局に対してＡＣＫと送信したにもかかわらず再送されてきたデータ数などの少なくとも一つに応じてオフセットを求めることができる。
【００５１】
なお、本発明は上記の実施例に限定されるものではなく、シグネチャを多重する（各シンボルに対して合成を行う）ことにより、同一通知スロットで複数の移動局に対して、情報を通知するチャネルに対して適用できるものである。また、上位層または上位局である無線制御装置（ＲＮＣ：Radio Network Controller）により最適化された重み係数の設定を、そのまま用いることもできる。なお、上記の各機能ブロックの動作は、その動作手順を予めプログラムとしてＲＯＭなどの記録媒体に格納しておき、これをコンピュータにより読み取らせて実行するよう構成できることは明らかである。
【図面の簡単な説明】
【００５２】
【図１】本発明の実施例が適用されるシステム概略図であり、Ｓｅｒｖｉｎｇ  Ｅ−ＤＣＨ  Ｃｅｌｌである無線基地局と移動局との間で使用される物理チャネルを示す図である。
【図２】本発明の実施例が適用されるＷ−ＣＤＭＡ方式ＥＵＤＣＨ通信システムの概略図である。
【図３】本発明における無線基地局の実施例のブロック図である。
【図４】本発明の実施例におけるシグネチャ係数更新処理のフローチャートである。
【図５】Ｅ−ＨＩＣＨ，Ｅ−ＲＧＣＨで使用されるシグネチャの例の一部を示す図である。
【図６】Ｅ−ＨＩＣＨ，Ｅ−ＲＧＣＨで使用されるシグネチャの例の一部を示す図である。
【図７】Ｅ−ＨＩＣＨ，Ｅ−ＲＧＣＨで使用されるシグネチャの例の一部を示す図である。
【図８】移動局Ａ、移動局Ｂにおいて、Ｅ−ＨＩＣＨを復調し、シグネチャの乗算及びその乗算結果の積分値の分布図である（α0 ＝１，α1 ＝1)。
【図９】移動局Ａ、移動局Ｂにおいて、Ｅ−ＨＩＣＨを復調し、シグネチャの乗算及びその乗算結果の積分値の分布図である（α0 ＝１，α1 ＝０．５）。
【図１０】ＡＩＣＨで使用されるシグネチャの例を示す図である。
【図１１】位相平面上の信号点を説明するための図である。
【符号の説明】
【００５３】
１  移動局
２，３  基地局
４  上位局（ＲＮＣ）
５  無線部
６  アンテナ
７  復調部
８  復号部
９  ＤＰＣＣＨ送信電力制御部
１０  シグネチャ係数演算部
１１  ＥＵＤＣＨ  スケジューラ
１２  Ｅ−ＨＩＣＨ生成部
１３  Ｅ−ＲＧＣＨ生成部
１４  変調部
【図１】
2008005073.tif 000003
【図２】
2008005073.tif 000004
【図３】
2008005073.tif 000005
【図４】
2008005073.tif 000006
【図５】
2008005073.tif 000007
【図６】
2008005073.tif 000008
【図７】
2008005073.tif 000009
【図８】
2008005073.tif 000010
【図９】
2008005073.tif 000011
【図１０】
2008005073.tif 000012
【図１１】
2008005073.tif 000013